(57)【特許請求の範囲】
【請求項１】
イベントへの適応ができる多機能ビルディングであって、当該ビルディングは、屋外スポーツのためのスポーツフィールド（１）を有し、該スポーツフィールド（１）の少なくとも一部はコンテナー（４）に備えられており、当該ビルディングは、該コンテナー（４）を垂直方向に移動させるための手段を有し、該コンテナー（４）は、持ち上げられた状態では、それら全てで屋内活動に利用され得る空間の屋根を形成するような態様であり、
少なくとも３つの油（水）圧ジャッキ（９）が前記コンテナー（４）の下に前記手段として備えられ、
各ジャッキ（９）は、脚（１１）を取り巻く複数の油（水）圧シリンダー（２６）を有し、該脚（１１）上に前記コンテナー（４）が支持されており、それによって、これらのシリンダー（２６）は共働して該脚（１１）を上方へいくらかの距離を移動させることができ、かつ、あるシリンダー（２６）がより下方の位置で該脚に係合することができながらも、別のシリンダー（２６）は該脚（１１）と係合し続けることができることを特徴とする多機能ビルディング。
【請求項２】
コンテナー（４）が４つの脚（１１）の上に支持されており、それら脚が、ジャッキによって持ち上げられるものである、上記請求の範囲１に記載のビルディング。
【請求項３】
上記スポーツフィールド（１）が、それに固定して備えられたスポーツ設備を有するものである、上記請求の範囲１または２に記載のビルディング。
【請求項４】
スタンド（６）が上記スポーツフィールド（１）の外側に在り、上記コンテナー（４）が持ち上げられたポジションを占めるときには、該スタンドは該コンテナーの下のポジションに移動させられ得るものである上記請求の範囲１〜３のいずれかに記載のビルディング。
【請求項５】
ルーフインスタンド（６）が上記スポーツフィールド（１）の外側に在り、上記コンテナー（４）が持ち上げられたポジションを占めるときには、前記スタンドの屋根（７）は、該コンテナーに当接するものである上記請求の範囲１〜４のいずれかに記載のビルディング。
【請求項６】
持ち上げられたポジションでは、フレキシブルで膨らむことができるシール手段（１６、１７、１８、１９）を介して、上記コンテナー（４）がスタンドの壁または屋根に接するものである上記請求の範囲１〜５のいずれかに記載のビルディング。
【請求項７】
上記シール手段が、フレキシブルで膨らむことができるホース（１６）を有し、該ホースは望ましくは隔室に分割されているものである請求の範囲６記載のビルディング。
【請求項８】
上記シール手段が、上記コンテナー（４）に取り付けられており、かつ、その上側にスラブ（１９）が備えられ、該スラブの底面のエッジは、該シール手段が膨らまされた後で、壁部の上までまたは上記屋根の上まで延びるものである請求の範囲６または７記載のビルディング。
【請求項９】
上記コンテナー（４）の支持構造内に空間（２５）が備えられ、該空間は床を有し、パーキングガレージまたは貯蔵空間として機能するものである請求の範囲６または７記載のビルディング。
【請求項１０】
上記油（水）圧ジャッキ（９）が、上記コンテナー（４）のエッジから間隔をおいて備えられている請求の範囲９記載のビルディング。
【請求項１１】
脚（１１）が、実質的に方形の断面を有し、かつ、金属の外殻からなる、請求の範囲１〜１０のいずれかに記載のビルディング。
【請求項１２】
カムが、脚（１１）の外殻に、所定の間隔をおいた関係にて、溶接されている、請求の範囲１１記載のビルディング。
【請求項１３】
４つのロック手段（３１）が備えられ、該ロック手段は、水平面内をフリーポジションからロックポジションへと移動させられ得るものであって、該ロックポジションにおいて、ロック手段（３１）が脚（１１）に対して当接する、請求の範囲１記載のビルディング。
【請求項１４】
上記コンテナー（４）が下のポジションを占める場合には、当該ビルディングには屋根がない、請求の範囲１〜１３のいずれかに記載のビルディング。
【発明の詳細な説明】
本発明は、イベントへの適応ができる多機能ビルディングに関するものであり、該ビルディングは、屋外スポーツのためのスポーツフィールドを有し、該スポーツフィールドの少なくとも一部はコンテナーに備えられており、該コンテナーを垂直方向に移動させるための手段を有し、該コンテナーが、持ち上げられたポジションでは、それが全てで屋内活動に利用され得る空間の屋根を形成するような態様である。屋外スポーツは、サッカー、ベースボール、ラグビー、アメリカンフットボール等であってよい。
このようなビルディングは、ＷＡ−Ａ−９０／１５２０７で知られている。ＷＡ−Ａ−９０／１５２０７によるビルディングは、コンテナーが垂直方向に動く間、該コンテナーをガイドするためのピア(pier)を該コンテナーの角に有する。
本発明は、改善された多機能ビルディングを提供するものであって、上記コンテナーを垂直方向に移動させための上記手段が該コンテナーの下に備えられていることを特徴とするものである。
この結果、コンテナーが低ポジションを占めている場合、上記手段は物理的または視覚的な障害物にはならない。加えて、このことによって、最小のスパンと最適な力の分布を伴う優れた支持が可能となる。
このタイプのビルディングを用いれば、屋外スポーツを行なうためのスポーツフィールドは常に戸外の状態にあるので、問題となるスポーツルールは満たされる。本発明のその他の態様によれば、スポーツフィールドは、さらに自然の芝草からなるものでもよく、芝草は常に外気および自然光に接するので、最適のコンディションに保つことができる。一方、それに加えて、芝草のフィールドがあるコンテナーは、芝草のフィールドの水やりや排水等のための必要設備を備えることができるので、芝草の品質は高められ得る。さらに、雪および／または氷がスポーツフィールド上に継続して残るのを防ぐために、加熱エレメントを備えてもよい。雪および／または氷が残る状態は、スポーツフィールドが使われているときには不利であり、また、スポーツフィールドを垂直方向に移動させるのに必要とされるエネルギーが増えるので不利である。
本発明のその他の態様によれば、スポーツフィールドは、ダッグアウト、ゴールポスト、ライン等のような、その上に固定して設けられたスポーツ設備を有してもよい。屋内活動が開催されても、これらのスポーツ設備はなんら迷惑にはならない。なぜなら、それらが屋内活動が開催される空間の屋根の上に存在するからである。
本発明のその他の態様によれば、コンテナーが持ち上げられたポジションを占める場合、スポーツフィールドの外側に存在するスタンドは、コンテナーの下のポジションへ移動させられ得るというような態様で移動可能なものであってもよい。その場合では、スポーツフィールドを有するコンテナーは、屋外活動が開催される空間の屋根になるだけでなく、前方へ移動したスタンドの屋根にもなる。このことは、特に、屋内活動が該スポーツフィールドのエリアよりも小さいエリアの上で行われるスポーツである場合に有利となる。
本発明のその他の態様によれば、ルーフインスタンド(roofed-in stand)は、スポーツフィールドの外側に存在してもよく、該スタンドの屋根は、コンテナーが持ち上げられたポジションに移動した場合に該コンテナーに接するというような態様で建造される。この態様では、スポーツフィールドと少なくとも同じ大きさの自由なエリアを有する閉鎖空間を形成することが可能である。
本発明のその他の態様によれば、コンテナーは、持ち上げられたポジションを占める場合、スタンドの壁や屋根と接してもよく、そのことによってフレキシブルで膨らむことができるシール手段が、前記コンテナーと前記壁や屋根との間に備えられる。望ましくは、前記シール手段はフレキシブルで膨らむことができるホースからなるものであって、該ホースは隔室に分割されるものでもよい。そのため該ホースは、コンテナーが正しい高さに位置されると膨らませることができ、、その結果、適切なしかし僅かにフレキシブルなシールが、コンテナーのエッジに沿って得られる。
本発明のその他の態様によれば、前記シール手段はコンテナーに取り付けられ、そして前記シール手段は上側にあってスラブ(slab)が備えられ、該スラブの底面のエッジは、前記シール手段が膨らまされた後で、壁部または前記屋根の上へ延びるものである。この結果、例えば雨水の適切な排出を行うことがとりわけ可能となる。この構成は、以下により詳細に説明する。
本発明のその他の態様によれば、コンテナーは支持構造を備えていてもよく、該支持構造は１つのフロアーを有するような高さを有するものであり、それによってパーキングガレージや貯蔵空間として機能することもできる空間が生みだされる。このようにして、コンテナーの高さと、コンテナーに充分な強度と剛性を与えるのに必要なその支持構造とは、有効に利用され得る。
勿論、イベントの来訪者のためのそのようなパーキングガレージは、コンテナーが最下位ポジションを占めている場合のみ、用いられ得る。しかし、貯蔵空間は、例えばキャラバンガレージとしてコンスタントに用いられ得る。該空間は、コンテナーの１以上の持ち上げられたポジションで、利用し得るものであってもよい。
本発明のその他の態様によれば、いくつかの高さでの使用者のポジションを確保できるというような態様に、コンテナーを建造してもよく、コンテナーが持ち上げられ得る最大の高さよりも低い高さでの空間を必要とするイベントが開催される場合、例えばエネルギー上の理由のために、それは有用であろう。１つの好ましい態様では、この最大の高さは、スポーツフィールドを取り巻くスタンドの屋根よりも高くてもよく、その結果、ビルディングの可能な用途の数をさらに増やすことができる。
本発明の多機能ビルディングは、少なくとも３つの油（水）圧ジャッキが、コンテナーを持ち上げるために該コンテナーの下に備えられ、それによって、各ジャッキは脚（コンテナーは該脚の上に支持される）を取り巻く複数の油（水）圧シリンダーを有し、そしてそれによって、前記シリンダーは共働して、前記脚を上方へある距離を移動させることができ、そしてそれによって、その他のシリンダーが前記脚と係合し続ける一方で、１つのシリンダーは前記脚に下方の位置で係合することができる。このことは、このタイプのジャッキの実施例によって、より詳細に以下に論じるものとする。
油（水）圧ジャッキの数および／またはそれらの位置は、コンテナーの下の空間が最も好ましく利用され得るように、そして、前で既に論じたように、スタンドが動かされている時に障害物にならないように、好ましく選択される。４つのジャッキを用い、それらを離して配置することが望ましい。
さらに、本発明は、屋根スポーツを行うための設備を、屋内活動のための設備に、そしてその逆に、変換する方法に関するものであり、前記屋外スポーツのためのスポーツフィールドの底面の少なくとも一部は、前記底面が前記屋内活動のための空間の屋根になるポジションへと上に移動され、そして、その逆の移動もできる。
本発明のさらなる態様は、独立的にまた互いに関連して用いられ得るが、以下に説明され、また、請求項に定められるものである。以下に、多機能ビルディングの実施例を、図面を参照した説明を通して記載する。
図１は、ビルディングを断面で示している。
図２は、ビルディングの平面図である。
図３は、ビルディングの断面図である。
図４は、ビルディングの平面図である。
図５は、シール手段を有するコンテナーの一部を示している。
図６は、シール手段の操作を示している。
図７は、コンテナーの一部を示しており、その中に在るパーキングガレージを伴うものである。
図８は、ジャッキの立面図である。
図９は、図８のＩＸ−ＩＸ線に沿った、断面図である。
図１０は、第１ヨークの平面図である。
図１１は、第２ヨークの平面図である。
図は、ビルディングとその部分の単なる概略的な説明であって、同じ部分には同じ番号が付けられている。
図１の概略的な断面図は、自然の芝草のあるサッカーフィールドの形式となっているスポーツフィールド１を示しており、スポーツフィールド１は、ゴール２およびライン３（図２）のようなスポーツ設備を備えている。該スポーツフィールド１はコンテナー４の内部に存在しており、該コンテナーは、スポーツフィールドを支持するための充分な剛性を有するように、数メートルの高さを有し、自体の支持構造を含んでいる。
図１に示す状態では、コンテナー４は、グラウンド５（地表レベル）上またはそれに接近して位置しており、それがコンテナー４の最も低いポジションである。
スポーツフィールド１の周りには、観客のための座席の設備を有するスタンド６が設けられている。屋根７は、スタンド６を覆って存在しており、それによってスタンド６上の観客は雨風から守られる。安全溝８が、コンテナー４とスタンド６との間に在って、該安全溝は、観客がスタンド６からスポーツフィールド１へと容易に入るのを防止する機能を持つ。安全溝８の深さは、この実施例では、コンテナーの高さと同じである。
図１に示した実施例では、コンテナー４は４つのジャッキ９で支持されており、それらのうちの２つは図１に示されている。コンテナー４は、そこにスポーツフィールド１を有するのだが、油（水）圧ジャッキ９によって多様な高さに持ち上げられ得る。
図２はビルディングの平面図であって、同図からは、スタンド６の屋根７が取り除かれている。この結果、スタンド６と安全溝８とを見分けることができる。スポーツフィールド１の周囲は、例えば、１２０×７９メートルの寸法であって、一点鎖線１０によって示されている。スポーツフィールド１は、サッカー試合のためのライン３を備えている。該サッカーフィールドの寸法は１０５×６８メートルである。
図３は、ビルディングの概略的な断面図であって、同図では、スポーツフィールド１を有するコンテナー４は、持ち上げられたポジションを占めている。コンテナー４は、４つの脚１１によってその上に支持されており、脚のうちの２つが図示されている。該脚１１は、ジャッキ９によって持ち上げられており、コンテナー４のエッジがスタンド６の屋根７の近くに位置するような態様となっている。
脚１１は、コンテナーといっしょに上下に移動し、また、コンテナー４が低ポジションを占めるときには、地面の中に隠れる。脚１１は、コンテナー４のエッジから間隔をおいて設けられてもよく、それによって最小のスパンと最適な力の分布とを伴う優れたコンテナー支持が得られる。
コンテナー４と屋根７との間の間隔はうめられてもよく、より詳細に以下に説明するが、それによってコンテナー４と屋根７との下に閉鎖された空間が生まれ、その中で屋内スポーツのためのスポーツ競技やポップコンサートのようなイベントが開催され得る。
実施例では、スポーツフィールド１の短辺に沿ったスタンド６は、それらがコンテナー４の下のポジションへ移動させられ得るような態様にて建造され、それによって、より小さな空間がスタンド６の間に生まれる。このことは、サッカー試合よりも小さい面積で行われるテニスのようなスポーツ競技には重要かもしれない。スタンドが前進したポジションは１２で示している。
図４は、図２に対応する平面図であって、同図からはコンテナー４も取り除かれている。一点鎖線１０は、スポーツフィールド１の周囲を示しており、そして、破線１３は、スタンド６がノーマルポジションにある場合と前進ポジションにある場合の両方のポジションを示している。それに加えて、図４は４つのジャッキ９を示している。
スポーツフィールドを有するコンテナーの重量は、例えば、１０7ｋｇであってもよい。コンテナー４と屋根（図３）との間の空間は、例えば、０．５ｍであってもよい。
図５はコンテナー４のエッジを概略的に示しており、該エッジは垂直な側面１５から成っている。該垂直な側面１５は、例えば、３ｍの高さを有し、コンテナー４を取り囲んでいるフレキシブルホース１６を備えている。休止のポジションでは、該ホース１６は、例えば、図５に示すような形を有してもよい。該ホースは１７で示される位置においてコンテナー４に取り付けられている。圧力パイプ１８がコンテナー４の内部に在り、その圧力パイプ１８によって、ホース１６を膨らませることができる。ホース１６は、隔室に細分されてもよく、それによって各隔室が圧力パイプ１８に接続されていてもよい。例えばゴムなど、フレキシブルな材料からなるスラブ１９が、ホース１６の上にもたれて設けられる。該スラブは、コンテナー４に上面側で蝶番で取り付けられおり、それによって、ホース１６が膨らんだときには、スラブ１９は外側へ押される。
図６は、スタンドの屋根７に接近したポジションにおける、コンテナー４の側面１５を示している。屋根７とコンテナー４との間の空間は、例えば、０．５ｍであり、圧力パイプ１８によって膨らんでいるホース１６によってシールされている。図６から明らかなように、スラブ１９はそれによって持ち上げられ、その結果、その底面のエッジは屋根７の上に位置する。この結果、雨水等は、スポーツフィールド１から屋根７の上の面へ、容易に流れ去り得る。よって、コンテナー４と屋根７との間に得られるシールは、充分に耐候性があり、しかもある程度はフレキシブルである。
図７は、コンテナー４の一部を概略的に示しており、コンテナー４の内部につくり出された空間２５を表している。スポーツフィールド１を支持するコンテナー４に、充分な剛性と強度とを与えるために、コンテナー４は、数メートル、例えば３または４メートル、の高さを有するように建造され、それがコンテナー４内に周囲を閉鎖された空間２５をつくり出すことを可能にしている。図７は、最も低いポジションに在るコンテナーを表しており、空間２５は約４００台の乗用車のためのガレージを形成している。
図８は、ジャッキ９の概略図であって、該ジャッキは４つの油（水）圧シリンダー２６を備え、脚１１を上方へ移動させることができる。２つの対向しているシリンダー２６のピストン２７は、ヨーク２８、２９によって、それらの上方側終端で互いに連絡しており、当該シリンダー２６によって、ヨークは垂直方向に移動させられ得る。
脚１１は、実質的に方形の断面を有し、そして金属の外殻からなり、該外殻はコンクリートで充填してもよい。カム３０は、脚１１の金属の外殻に、所定の間隔の開いた関係にて溶接される。該カム３０は、脚１１の４つの側面全てに配置されている。脚１１は上方側において、コンテナー４に取り付けられている。ジャッキ９は、例として図７に示すように、グラウンド５（地表レベル）の下に位置する。
図９は図８のＩＸ−ＩＸ線に従う断面図である。４つのシリンダー２６が示されており、それらは各々脚１１の平らな側の近くに配置されている。さらに、４つのロック手段３１が備えられ、図９に示すように、水平面内をフリーポジションからロックポジションへ移動させられ得る。該ロック手段３１は基礎プレート３２に固定され、その基礎プレートにはシリンダー２６が備えられており、その結果、ロック手段３１がロックポジションを占めると、脚１１は垂直方向への動きに抗してロックされる。矢印３３はロック手段３１の動きの方向を示している。
図１０は、第１ヨーク２９の概略的な平面図であって、該ヨークは、対向する油（水）圧シリンダー２６の２つのピストンに固定されている。下方のヨーク２９は、２つのロック手段３４を備えており、該ロック手段は、矢印３５で示されるように、ヨーク２９に対して水平方向に移動できる。ロック手段３４は、ロックポジション（この位置ではロック手段は脚１１に当接する）からフリーポジション（この位置ではロック手段は脚１１から離れる）に移動でき、また逆にもできる。ロックポジションでは、ロック手段３４はカム３０と共働する。
図１１は、上方のヨーク２８の概略的な平面図であって、他の２つの対向する油（水）圧シリンダー２６を示している。上方のヨーク２８は、同様に、ロック手段３６を備え、該ロック手段は、下方のヨーク２９のロック手段３４と同様に機能する。ロック手段３６の動きの方向は、矢印３７によって示されている。
油（水）圧ジャッキ９の操作は次のとおりである。コンテナー４が最下位ポジションから上へ動かされるとき、２つのヨーク２８、２９は最下位ポジションにあり、ヨークの一方は他方の直上に位置しており、その結果、ヨーク２８、２９上に備えられたロック手段３６、３４は、一方が他方よりも上に位置するカムと係合する。ロック手段３４、３６は、ロックポジションでは終端にあり、そこではロック手段は脚１１に当接する。ロック手段３１は、基礎プレート３２の上面で脚１１の４つの角に位置し、上昇操作が始まるときは、図９に示すようにフリーポジションへ移動させられる。それから、脚１１は、４つ全ての油（水）圧シリンダー２６の働きによって、上方へ移動させられる。油（水）圧シリンダー２６の直径は、例えば、０．７ｍであって、油（水）圧の圧力は、例えば４００ｂａｒである。脚１１が移動させられるときの速度は、例えば、毎時２ｍである。
ヨーク２８、２９がそれらの最上位ポジションに到達したとき、即ち、油（水）圧シリンダーがそれらの最大ストローク（例えば１．５ｍ）を完了したとき、ロック手段３１はそれらのロックポジションに移動させられ、それによって脚１１の下方への動き一切をブロックする。それから、下方のヨーク２９のロック手段３４は、それらのフリーポジションに置かれ、その結果、下方のヨーク２９はそのスタートポジションへ下方に移動させられ得る。そのスタートポジションでは、ロック手段３４は再びそれらのロックポジションに動かされ、その結果、それらは関係するカム３０と係合する。
それから、上方のヨーク２８のロック手段３６はそれらのフリーポジションに動かされ、その後、上方のヨークは最下位ポジションにまた移動させられる。それからロック手段３６は再びそれらのロックポジションに動かされる。ロック手段３１がそれらのフリーポジションに動かされた後、油（水）圧シリンダー２６のストローク長さに沿った、脚１１の上方への動きが再び開始される。
上記方法の使用によって、脚１１のダブルロックが常に備えられていることが明らかであろう。即ち、３セットのロック手段３１、３４、３６のうちの少なくとも２セットがコンスタントに脚１１のカム３０に係合しているのである。これは、安全性の理由から、特に前記のように持ち上げている間にコンテナー４の下の空間が使用されている場合には重要である。
脚１１の下方への動きは、同じ方法によって達成され、その動作の間、３セットのロック手段３１、３４、３６のうちの２セットが同様にコンスタントに脚１１と係合している。
本発明による多機能ビルディングの使用によって、比較的小さなグラウンド面積を非常に効率的に使用することが可能となる。さらに、常に戸外の状態にあるので、また、所望の期間、スポーツする人と接触させないようにできるので、スポーツフィールド１を形成している芝草のフィールドを最適な状態に維持することが可能となる。普通の環境のもとで、スポーツフィールドの昇降に必要な時間は４から８時間かもしれないが、これは、例えば夜に行われ得る。
示した実施例は、その範囲を越えるものではない。上記説明の本発明は、また、示した実施例に従ったものとは異なった態様にて実施してもよい。
【図１】
0003794707.tif 000002
【図２】
0003794707.tif 000003
【図３】
0003794707.tif 000004
【図４】
0003794707.tif 000005
【図５】
0003794707.tif 000006
【図６】
0003794707.tif 000007
【図７】
0003794707.tif 000008
【図８】
0003794707.tif 000009
【図９】
0003794707.tif 000010
【図１０】
0003794707.tif 000011
【図１１】
0003794707.tif 000012